(57)【要約】【課題】  包装容器にコストがかからず、保管時及び処分時に嵩張ることもなく、串付食品を持ち帰る際に容器内で串付食品が移動したりせず、刺さっている身を容易に串の先端部に移動させ、串から取外すこともできる串付食品用包装容器を提供する。【解決手段】  適宜形状に裁断した１枚の紙製シート２を適宜個所で折曲し、接着することによって串付食品用包装容器１を構成する。本体２９の側面部６に連結して上面片部９を、上面片部９に連結して垂下片部１０を形成し、上面片部９と垂下片部１０に亘って串付食品３１の串３３を差し込む挿入溝２７，２８を穿設する。【選択図】          図２
2007069967.tif 000002
【特許請求の範囲】
【請求項１】
適宜形状に裁断した１枚の紙製シートを適宜個所で折曲し、接着することによって構成される串付食品用包装容器であって、本体の側面部に連結して上面片部を、この上面片部に連結して垂下片部を形成し、前記上面片部と前記垂下片部に亘って串付食品の串を差し込む挿入溝を穿設したことを特徴とする串付食品用包装容器。
【請求項２】
前記上面片部と前記垂下片部との境界に挿入孔を穿設し、この挿入孔から前記上面片部の中間部まで、及び、前記垂下片部の中間部まで前記挿入溝を穿設したことを特徴とする請求項１に記載の串付食品用包装容器。
【請求項３】
前記串付食品は焼き鳥であることを特徴とする請求項１又は２に記載の串付食品用包装容器。
【発明の詳細な説明】
【技術分野】
【０００１】
本発明は、焼き鳥、串焼き、串カツ等の串付食品を収容して販売する串付食品用包装容器に関する。
【背景技術】
【０００２】
最近、焼き鳥、串焼き、串カツ等の串付食品は、料理店において料理として提供されるだけではなく、包装容器に収容して土産品として販売され、自宅に持ち帰り、そのまま又は温めて食することも多くなった。
串付食品を収容する包装容器としては、紙製又はプラスチック製の蓋体付容器が使用され、本体内に串付食品を複数収容し、本体に蓋体を被せて販売している。
【０００３】
しかし、単なる箱状の包装容器では、串付食品を収容して持ち帰る際に、容器内で串付食品が移動して、身が崩れたり、衣が剥れたりすることがあった。
そこで、山部３Ａと谷部３Ｂとを複数連続的に形成した保持具３を本体２内に配設し、この保持具３の谷部３Ｂに串付食品５の串５ｂを挿入して串付食品５を保持し、本体２内で串付食品５が移動しないようにしたプラスチック製包装容器１が提案されている（例えば、特許文献１参照）。
【０００４】
又、串付食品において、串の中間部に刺さっている身は容易に食することができないため、口又は指で身を串の先端部に移動させたり、串から取外したりして食していた。
そこで、本体２の口縁部２ｃに溝部５を形成し、この溝部５に串付食品の串６を差し込み、串６を本体２の外方に移動させて、串６の中間部に刺さっている身７を容易に串６の先端部に移動させ、又、串６から取外すことができるようにしたプラスチック製包装容器１も提案されている（例えば、特許文献２参照）。
【０００５】
【特許文献１】実開平１−７８５５６号公報
【特許文献２】実開平２−１２９０１７号公報
【発明の開示】
【発明が解決しようとする課題】
【０００６】
しかし、特許文献１に開示された包装用容器１では、山部３Ａと谷部３Ｂとを複数連続的に形成した保持具３を必要とするため、包装用容器１にコストがかかると共に、包装容器１の保管時及び処分時に嵩張るという問題があった。
【０００７】
又、特許文献２に開示された包装容器１では、本体２に溝部５を有する口縁部２ｃを形成するのに、プラスチックの一体成形が必要となるため、やはり、包装容器１にコストがかかると共に、包装容器１の保管時及び処分時に嵩張るという問題があった。
【０００８】
本発明は、かかる従来の問題点に鑑みて為されたものであって、その目的とするところは、包装容器にコストがかからず、包装容器の保管時及び処分時に嵩張ることなく、串付食品を持ち帰る際には、容器内で串付食品が移動して、身が崩れたり、衣が剥れたりすることがなく、又、串付食品を食する時には、中間部に刺さっている身を容易に串の先端部に移動させたり、串から取外すことができる串付食品用包装容器を提供することにある。
【課題を解決するための手段】
【０００９】
上記目的を達成するために、本発明の串付食品用包装容器は、適宜形状に裁断した１枚の紙製シートを適宜個所で折曲し、接着することによって構成される串付食品用包装容器であって、本体の側面部に連結して上面片部を、この上面片部に連結して垂下片部を形成し、前記上面片部と前記垂下片部に亘って串付食品の串を差し込む挿入溝を穿設したことを特徴とする。
【００１０】
かかる構成によれば、垂下片部の端辺が串付食品の身又は串に当接するから、串付食品を収容して持ち帰る際に、串付食品が移動して、身が崩れたりすることはない。
又、串付食品の串を挿入溝に差し込み、串を本体の外方に移動させれば、串の中間部に刺さっている身を容易に串の先端部に移動させ、又、串から取外すことができる。
【００１１】
串付食品の串を挿入溝により円滑に差し込めるように、前記上面片部と前記垂下片部との境界に挿入孔を穿設し、この挿入孔から前記上面片部の中間部まで、及び、前記垂下片部の中間部まで前記挿入溝を穿設してもよい。
【００１２】
前記串付食品としては、特に、焼き鳥であることが好ましい。
【発明を実施するための最良の形態】
【００１３】
以下、本発明の串付食品用包装容器の好適な実施形態について、図面を参照して説明する。
【００１４】
本発明の串付食品用包装容器１は、図１に示すように、適宜形状に裁断した１枚の紙製シート２を適宜個所で折曲し、接着することによって構成される。
【００１５】
紙製シート２は、図１に示すように、底面部３、正面部４、背面部５、側面部６，６、連結片部７ａ，７ｂ，８ａ，８ｂ、上面片部９、垂下片部１０、上面部１１及び差込片部１２から構成される。
そして、各面部、各片部間の境界には、折曲線１３，１４，１５，１６，１７，１８，１９，２０，２１，２２，２３，２４，２５を形成してある。
【００１６】
又、上面片部９と垂下片部１０との境界には円形状の挿入孔２６を穿設してあり、その挿入孔２６から上面片部９の中間部まで、又、垂下片部１０の中間部まで挿入溝２７，２８を穿設してある。
【００１７】
本発明の串付食品用包装容器１は、以下のように折曲、接着することによって、組み立てることができる。
【００１８】
先ず、紙製シート２を折曲線１３，１４，１５において折曲し、正面部４、背面部５及び側面部６，６を立設する。
次いで、折曲線１７を外方に折曲し、折曲線１６，１８を一致させて、連結片部７ａ，７ｂの内面を当接させると共に、折曲線２０を外方に折曲し、折曲線１９，２１を一致させて、連結片部８ａ，８ｂの内面を当接させる。
【００１９】
そして、一致させた折曲線１６，１８において折曲し、連結片部７ｂの外面を側面部６の外面に当接させ、適宜接着剤によって接着する。
又、一致させた折曲線１９，２１において折曲し、連結片部８ｂの外面を側面部６の外面に当接させ、適宜接着剤によって接着する。
【００２０】
又、折曲線２２において上面片部９を内方に折曲し、略水平状に位置させ、さらに、折曲線２３において垂下片部１０を下方に折曲し、略垂直状に垂下させる。
【００２１】
以上のようにして、図２乃至図６に示すように、紙製シート２の底面部３、正面部４、背面部５、側面部６，６、連結片部７ａ，７ｂ，８ａ，８ｂ、上面片部９及び垂下片部１０から、串付食品用包装容器１の本体２９が構成される。
【００２２】
一方、串付食品用包装容器１の蓋体３０は、上面部１１及び差込片部１２から構成される。
そして、折曲線２４において上面部１１を前方に折曲し、折曲線２５において差込片部１２を下方に折曲し、正面部４の内面に当接させて差し込めば、本体２９に蓋体３０を被せることができる。
【００２３】
本発明の串付食品用包装容器１は、図９に示すように、蓋体３０を後方に回動させると共に、上面片部９及び垂下片部１０を外方に回動させることによって、本体２９内に串付食品３１を収容することができる。
【００２４】
串付食品３１を収容した後、再度、上面片部９を内方に折曲し、垂下片部１０を下方に折曲し、次いで、上面部１１を前方に折曲し、差込片部１２を下方に折曲し、正面部４の内面に当接させて差し込むことによって、本体２９に蓋体３０を被せることができる。
【００２５】
本体２９に蓋体３０を被せた時、図１１に示すように、垂下片部１０の端辺が串付食品３１の身３２又は串３３に当接するから、串付食品３１を収容して持ち帰る際に、串付食品用包装容器１内で串付食品３１が移動して、身３２が崩れたりすることはない。
【００２６】
又、本発明の串付食品用包装容器１は、図８に示すように、上面片部９を立設させ、略垂直状とし、垂下片部１０を折曲して、垂下片部１０の内面を上面片部９の内面に当接
させれば、円形状の挿入孔２６は分割されて半円形状となり、挿入溝２７，２８は一致するようになっている。
【００２７】
この状態で、図１０及び図１２に示すように、串付食品３１の串３３を挿入孔２６を介して挿入溝２７，２８に上方から差し込み、串３３を本体２９の外方に移動させれば、串３３の中間部に刺さっている身３２を容易に串３３の先端部に移動させ、又、串３３から取外すことができる。
【００２８】
又、垂下片部１０と上面片部９とを当接させ、身３２が当たる部分の厚さを２倍としたから、串３３を本体２９の外方に移動させる際、身３２の押圧力によって垂下片部１０及び上面片部９が屈曲することなく、十分な強度を確保することができて、串３３を円滑に外方に移動させることができる。
【００２９】
本発明の串付食品用包装容器１は、適宜形状に裁断した１枚の紙製シート２を適宜個所で折曲し、接着することによって構成されるものであるから、製造コストが極めて安価である。
【００３０】
又、串付食品用包装容器１の保管時には、折曲し、接着することなく、１枚の紙製シート２の状態で保管すればよく、処分時には、接着部分を強く引っ張って１枚の紙製シート２の状態に展開し、その後、適宜折り畳んで処分すればよいから、保管時及び処分時に嵩張るということもない。
【００３１】
上記実施形態においては、串付食品３１に付着されるタレ、調味料等が極力容器外にこぼれないよう、串付食品用包装容器１の本体２９の組立時、正面部４、背面部５、側面部６，６を下方に向けて傾斜させるようにしたが、必ずしも傾斜させなくともよい。
又、差込片部１２を正面部４と上面片部９との間に差し込み易いよう、連結片部７ａ，７ｂ，８ａ，８ｂを側面部６，６の外面に当接させ、接着するようにしたが、側面部６，６の内面に当接させ、接着するようにしてもよい。
【００３２】
さらに、上面片部９及び垂下片部１０には１つの挿入溝２７，２８を穿設したが、例えば、上面片部９及び垂下片部１０の長さ方向に並行させて、複数の挿入溝２７，２８を穿設してもよい。
又、上面片部９と垂下片部１０との境界には円形状の挿入孔２６を穿設したが、楕円形状、菱形状等、他形状の挿入孔を穿設してもよく、さらには、必ずしも挿入孔２６を穿設しなくともよい。
【図面の簡単な説明】
【００３３】
【図１】本発明の串付食品用包装容器を構成する紙製シートの平面図である。
【図２】本発明の串付食品用包装容器の蓋体を開いた状態における平面図である。
【図３】本発明の串付食品用包装容器の平面図である。
【図４】本発明の串付食品用包装容器の底面図である。
【図５】本発明の串付食品用包装容器の正面図である。
【図６】本発明の串付食品用包装容器の左右側面図である。
【図７】図２のＡ−Ａ線断面図である。
【図８】上面片部を立設させ、垂下片部と上面片部とを当接させた状態における図２のＡ−Ａ線断面図である。
【図９】本発明の串付食品用包装容器に串付食品を収容し、蓋体を開いた状態における平面図である。
【図１０】串付食品の串を挿入溝に差し込み、串を本体の外方に移動させた状態における平面図である。
【図１１】図９のＡ−Ａ線断面図である。
【図１２】串付食品の串を挿入溝に差し込み、串を本体の外方に移動させた状態における左側面図である。
【符号の説明】
【００３４】
１  串付食品用包装容器
２  紙製シート
６  側面部
９  上面片部
１０  垂下片部
２６  挿入孔
２７  挿入溝
２８  挿入溝
２９  本体
３１  串付食品
３２  身
３３  串
【図１】
2007069967.tif 000003
【図２】
2007069967.tif 000004
【図３】
2007069967.tif 000005
【図４】
2007069967.tif 000006
【図５】
2007069967.tif 000007
【図６】
2007069967.tif 000008
【図７】
2007069967.tif 000009
【図８】
2007069967.tif 000010
【図９】
2007069967.tif 000011
【図１０】
2007069967.tif 000012
【図１１】
2007069967.tif 000013
【図１２】
2007069967.tif 000014